(57)【要約】【課題】本体側面の操作部をコンパクト化して、グリル部のワイド化を可能にすることができるという加熱調理器を提供することを目的とする。【解決手段】複数の加熱部５ａ、５ｂ、６に対応してトッププレート３上に配した加熱操作部７〜９と、本体側面に配したグリル部１０およびグリル部を操作するためのグリル操作部１１とを備え、グリル操作部１１には、複数の入力キー１１ａ〜１１ｃと、グリル操作部１１から加熱操作部７〜９への操作を切り替える切り替え手段１３とを設けたものである。これによって、本体側面にはグリル操作部１１のみとなり、本体側面の操作部がコンパクト化され、グリル部１０のワイド化が可能となるものである。また、これまでと同様、加熱部の操作機能は確保できるものである。【選択図】図１
2006324079.tif 000002
【特許請求の範囲】
【請求項１】
本体と、本体の天面に設けたトッププレートと、トッププレート上の被加熱物を加熱する加熱手段を有する複数の加熱部と、複数の加熱部に対応してトッププレート上に配した加熱操作部と、本体側面に配したグリル部およびグリル部を操作するためのグリル操作部とを備え、前記グリル操作部には、複数の入力キーと、グリル操作部から加熱操作部への操作を切り替える切り替え手段とを設けた加熱調理器。
【請求項２】
トッププレート上の被加熱物を加熱する加熱手段の少なくとも一つは、誘導加熱手段とした請求項１に記載の加熱調理器。
【請求項３】
グリル操作部には、切り替え手段の操作により、グリル部の状態表示から加熱部の状態表示に表示を切り替える表示部を設けた請求項１または２に記載の加熱調理器。
【請求項４】
切り替え手段の切り替え必要時に、これを促す発光手段を設けた請求項１〜３のいずれか１項に記載の加熱調理器。
【請求項５】
切り替え手段の切り替え必要時に、これを促す報知手段を設けた請求項１〜４のいずれか１項に記載の加熱調理器。
【請求項６】
加熱操作部は、静電容量検知式またはタクト式とした請求項１〜５のいずれか１項に記載の加熱調理器。
【発明の詳細な説明】
【技術分野】
【０００１】
本発明は、トッププレート上の被加熱物を加熱する加熱手段を有する複数の加熱部と、本体側面に配したグリル部とを有する加熱調理器に関するものである。
【背景技術】
【０００２】
従来、この種の加熱調理器として、キッチンなどのキャビネットに組み込んで使用する誘導加熱調理器が知られている（例えば、特許文献１参照）。
【０００３】
これは、図５に示すように、本体２０の天面に配するトッププレート２１に、誘導加熱部２２と電気抵抗発熱式の加熱部２６とそれらを操作する静電容量検知式の副操作部２４とを配置している。また、本体２０側面には、グリル部２５と、各加熱部２２、２６およびグリル部２５を操作する操作キーを有する主操作部２３（カンガルー式）とが設けられている。
【０００４】
そして、トッププレート２１上の鍋などを加熱するには、電源スイッチにより電源をＯＮにし、本体２０の側面に配置する主操作部２３の加熱入切の操作キーを押下するか、副操作部２４の操作により、対応する誘導加熱部２２（または加熱部２６）により加熱が開始される。主操作部２３には、加熱部２２、２６およびグリル部２５を操作するための専用の操作部と表示部をそれぞれ個々に独立して設けているので、状態を確認しながら鍋などの加熱あるいはグリル部２５での調理ができる。
【特許文献１】特開２００３−２７９０５５号公報
【発明の開示】
【発明が解決しようとする課題】
【０００５】
しかしながら、前記従来の構成では、本体２０の側面に配置する主操作部２３には、加熱部２２、２６およびグリル部２５を操作するための専用の操作部が集約しており、本体側面に占める操作部面積が大きくなり、グリル部２５の大きさを制限する構成となってしまうものであった。
【０００６】
本発明は、前記従来技術の課題を解決するもので、本体側面の操作部をコンパクト化して、グリル部のワイド化を可能にすることができるという加熱調理器を提供することを目的とする。
【課題を解決するための手段】
【０００７】
前記従来の課題を解決するために、本発明の加熱調理器は、複数の加熱部に対応してトッププレート上に配した加熱操作部と、本体側面に配したグリル部およびグリル部を操作するためのグリル操作部とを備え、前記グリル操作部には、複数の入力キーと、グリル操作部から加熱操作部への操作を切り替える切り替え手段とを設けたものである。
【０００８】
これによって、本体側面にはグリル操作部のみとなり、本体側面の操作部がコンパクト化され、グリル部のワイド化が可能となるものである。また、これまでと同様、加熱部の操作機能は確保できるものである。
【発明の効果】
【０００９】
本発明の加熱調理器は、本体側面の操作部がコンパクト化され、グリル部のワイド化が可能となるものである。
【発明を実施するための最良の形態】
【００１０】
第１の発明は、本体と、本体の天面に設けたトッププレートと、トッププレート上の被加熱物を加熱する加熱手段を有する複数の加熱部と、複数の加熱部に対応してトッププレート上に配した加熱操作部と、本体側面に配したグリル部およびグリル部を操作するためのグリル操作部とを備え、前記グリル操作部には、複数の入力キーと、グリル操作部から加熱操作部への操作を切り替える切り替え手段とを設けた加熱調理器としたことにより、本体側面にはグリル操作部のみとなり、本体側面の操作部がコンパクト化され、グリル部のワイド化が可能となるものである。また、これまでと同様、加熱部の操作機能は得ることができるものである。
【００１１】
第２の発明は、特に、第１の発明において、トッププレート上の被加熱物を加熱する加熱手段の少なくとも一つは、誘導加熱手段としたことにより、特に、キッチンのキャビネットに組み込んで使用する誘導加熱調理器において、グリル操作部からでも通常火力、オート調理、揚げ物などのような微調整の制御を要する誘導加熱特有の機能に対する操作を可能とし、使用勝手の向上を図ることができる。
【００１２】
第３の発明は、特に、第１または第２の発明において、グリル操作部には、切り替え手段の操作により、グリル部の状態表示から加熱部の状態表示に表示を切り替える表示部を設けたことにより、グリル操作部から加熱操作を行う場合には、使用する操作部に対応する加熱部の状態をわかりやすくすることができる。
【００１３】
第４の発明は、特に、第１〜第３のいずれか１つの発明において、切り替え手段の切り替え必要時に、これを促す発光手段を設けたことにより、例えば、加熱操作部が使用不可状態になった際などには、発光手段が点灯あるいは点滅することで、使用者に対し切り替え手段の操作を促し、操作への認知をしやすくすることができる。
【００１４】
第５の発明は、特に、第１〜第４のいずれか１つの発明において、切り替え手段の切り替え必要時に、これを促す報知手段を設けたことにより、例えば、加熱操作部が使用不可状態になった際などには、報知手段からの警報音、注意メッセージで、使用者に対し切り替え手段の操作を促し、操作への認知をしやすくすることができる。
【００１５】
第６の発明は、特に、第１〜第５のいずれか１つの発明において、加熱操作部は、静電容量検知式またはタクト式としたことにより、加熱操作部が故障した際の応急処置操作としても使用することができる。特に、加熱操作部は、タクト式の入力キー構成とすることで、静電容量検知式に対し、高周波ノイズに影響を受けない構成となる。
【００１６】
以下、本発明の実施の形態について、図面を参照しながら説明する。なお、この実施の形態によって本発明が限定されるものではない。
【００１７】
（実施の形態）
図１〜図４は、本発明の実施の形態における加熱調理器を示している。
【００１８】
図１に示すように、調理器の本体１はキッチンキャビネットのワークトップ２に上から落とし込んで組み込まれている。本体１の上面は結晶化ガラスを素材としたトッププレート３の周囲をプレート枠４で囲んで覆われている。また、図に示すように、トッププレート３には、誘導式の加熱部５ａ、５ｂおよび電気抵抗発熱式の加熱部６（以下、ラジェントヒーター部６）を配置し、トッププレート３を構成する部材内の前部には加熱部５ａ、５ｂおよびラジェントヒーター部６に対応する加熱操作部７、８および９が配されている。
【００１９】
加熱操作部７、８、９は、この例では、トッププレート３に印刷された電極部を触れることで電気的容量が変化することに反応する静電容量検知式のタッチキーとし、天面に凹凸がないため手入れなどの取扱いがし易い平面接触式を実現している。なお、この加熱操作部７、８、９は静電容量検知式に限定するものではなく、タクト式などの押しボタン式操作部でも効果は同じものである。
【００２０】
また、本体１側面には、本体１側面の左内部に配置するグリル部１０と、グリル部１０を操作するためのタクト式スイッチのグリル操作部１１（カンガルー式）が配されている。
【００２１】
加熱部５ａ、５ｂおよびラジェントヒーター部６に対応する本体内部には誘導加熱手段を構成する加熱コイル（図示せず）と、加熱コイル後方に電気抵抗発熱式加熱手段であるラジェントヒーターが配されている。加熱コイルの電源回路である通電制御回路（図示せず）が加熱コイルの下方に配され、回路ユニット（図示せず）に対応した前方で操作回路ユニット下の位置にそれぞれ冷却ファン（図示せず）を配置し、その下方の本体１奥行きには吸気口（図示せず）がある。
【００２２】
また、加熱部５ａ、５ｂ、６に対応する加熱操作部７、８、９は、図２に加熱操作部７を代表として示しているように、例えば、加熱部に関して通電するための加熱入切キー７ａの他、加熱部の火力を調節するための火力アップキー７ｂおよび火力ダウンキー７ｃが配置され、その他、調理時間を設定するための時間設定キー、分設定キー、またオート調理キーなどを配置する。加熱操作部８、９においても同様のキーを配置するものとする。表示部７ｄはＬＣＤにより入力状態やタイマ時間、設定温度などを表示するものである。
【００２３】
また、グリル部１０に対応する本体側面に収納可能なグリル操作部１１には、図３に示すように、グリル加熱入切用の入力キー１１ａと、火力を調節する火力アップの入力キー１１ｂと、火力ダウンの入力キー１１ｃとを備え、さらに、グリル操作部１１内にはグリル部１０と加熱部５ａ、５ｂおよびラジェントヒーター部６の操作を切り替えるための切り替え手段１３を備えた構成とする。また、図３のように、グリル操作部１１に近接して、それぞれの入力状態を示す表示部１２を備える。表示部１２はＬＣＤにより入力状態やタイマ時間、設定温度などを表示するものである。なお、切り替え手段１３の操作により、加熱部５ａ、５ｂおよびラジェントヒーター部６も同様に表示部１２で表示されるとともに、各入力キー１１ａ、１１ｂ、１１ｃで火力も調節することができるものである。
【００２４】
また、表示部１２にはＬＣＤ表示内容が視認しやすいようバックライトを設けてあり、電源スイッチの入り切りに連動して、加熱コイル、ラジェントヒーターおよびグリル部１０に対応した複数の表示部のＬＣＤバックライトが点灯および消灯する。
【００２５】
以上のように構成された誘導加熱調理器について、以下その動作、作用を図４により説明する。
【００２６】
例えば、本体１が高周波ノイズのような環境下にさらされたことにより、静電容量検知式である加熱部５ａ、５ｂ、６に対応する加熱操作部７、８、９が受け付けない状態になった場合、図４の切り替え手段１３を一回押下すると、現在グリル専用の操作部であったグリル操作部１１は、加熱操作部（ここでは、切り替え手段１３を押下する毎に、例えば、左誘導加熱→右誘導加熱→グリル→左誘導加熱→・・・の順）に切り替わる。このとき、グリル操作部１１に配置する各入力キー１１ａ、１１ｂ、１１ｃが、それぞれ、誘導加熱の加熱入切キー、火力アップキー、火力ダウンキーに相当するように切り替わる。このように、切り替え手段１３によって切り替わる毎にそれぞれの加熱部に対応した、加熱入切キー、火力アップキー、火力ダウンキーに切り替わる。また、グリル操作部１１に設置するタイマキーやタイマ取り消しキー、自動調理キーによって、誘導加熱のタイマ調理モードや揚げ物モード、オート調理の選択も同様の方法で行え、加熱などを可能にすることができる。
【００２７】
このように、操作部分を切り替え手段１３によって切り替える方式にすることで、特に、トッププレート３に配する静電容量検知式の操作部分が、高周波ノイズ環境にさらされ、操作不能の状態になった場合にでも、操作の第二手段として使用者の使い勝手を向上することができる。
【００２８】
また、切り替え手段１３によって、使用加熱部を切り替えた際には、表示部１５に表示するように現在の加熱部とその状態（図４では、左誘導加熱部の加熱モードとする）を表示させるようにすることで、使用者にわかりやすくすることができる。
【００２９】
また、高周波ノイズ環境下にさらされていなくても使用者は状況に応じて順次切り替え動作を可能とするが、高周波ノイズ環境が原因で静電容量検知式の加熱操作部７、８、９が使用不能になった場合には、例えば、グリル操作部１１内の切り替え手段１３の外周部に配した発光手段１４が点滅あるいは点灯のように発光することで、使用者に切り替え手段１３の操作を促すことができる。また、報知手段を組み合わせるかあるいは単独で使用することで、「ピーピー」のように警告音を発したり、注意メッセージで、使用者に対し切り替え手段１３の操作を促したりすることができ、操作への認知をしやすくすることができる。
【００３０】
また、トッププレート３に配する加熱操作部７、８、９は、静電容量検知式に限らず、例えば、タクト式入力キーの構成とすることで、高周波ノイズに影響を受けない構成の操作部が、故障した際の応急処置操作としても同様の手段で使用することができる。
【００３１】
なお、加熱操作部の操作不能の状態への対応について説明したが、通常使用における、これまでどおりの加熱部の主・副の操作機能も得ることができるものである。
【００３２】
以上のような構成にすることで、使用性を向上できるとともに、本体側面のグリル操作部１１をコンパクト化できるので、図１に破線で示すようにグリル部１０をワイド化（図５に示す従来の場合に比して、本体１の大半を占める大きさと）することが可能となる。
【産業上の利用可能性】
【００３３】
以上のように、本発明にかかる加熱調理器は、本体側面の操作部がコンパクト化され、グリル部のワイド化が可能となるので、グリル部を併せ持つ組み込み式の加熱調理器に適用できる。
【図面の簡単な説明】
【００３４】
【図１】本発明の実施の形態における加熱調理器の平面図
【図２】同加熱調理器の加熱操作部の部分拡大図
【図３】同加熱調理器のグリル操作部の部分拡大図
【図４】同加熱調理器のグリル操作部において加熱部の表示状態を示す部分拡大図
【図５】従来例における加熱調理器の平面図
【符号の説明】
【００３５】
１  本体
３  トッププレート
５ａ、５ｂ、６  加熱部
７、８、９  加熱操作部
１０  グリル部
１１  グリル操作部
１１ａ、１１ｂ、１１ｃ  入力キー
１２、１５  表示部
１３  切り替え手段
１４  発光手段
【図１】
2006324079.tif 000003
【図２】
2006324079.tif 000004
【図３】
2006324079.tif 000005
【図４】
2006324079.tif 000006
【図５】
2006324079.tif 000007